(57)【要約】      （修正有）【課題】  制御コンピュータから離れた位置に架設した多数の屋外用大型看板装置を１対多数の形態で観察し制御する。【解決手段】主コンピュータは地域データベース１１から屋外用大型看板装置に関するデータを表示部７に複数表示し、その中から特定の従コンピュータを選定し、インターネットを介して当該選定した従コンピュータに接続する。命令プログラム１２を送信し、特定の従コンピュータは主コンピュータからの指令に従う状態となる。主コンピュータから特定の従コンピュータに起動を指令し、起動後に記憶装置２０からインターネットを介して広告データ２１を読み出し主コンピュータの表示部７に表示し、更に特定の従コンピュータの表示部２７とその電子看板に表示し、その表示状態を、主コンピュータの表示部７で観察する。【選択図】図７
2007219459.tif 000002
【特許請求の範囲】
【請求項１】
各地に分散設置した従コンピュータとこれに接続された電子看板とからなる複数の屋外用大型看板装置と、これらとインターネット介して通信可能な主コンピュータとから構成される電子看板の制御装置において、
前記主コンピュータには入力部と表示部と時計とＣＰＵと地域毎にある前記従屋外用大型看板装置に関する地域データベースと、前記従コンピュータを制御する命令プログラムと文字や映像や図形データを編集及び更新可能な修正プログラムとリンクプログラムと所在プログラムとメモリを備えるとともに、
前記従コンピュータにはＣＰＵと、記憶装置と表示部と時計とワークメモリと、文字や映像や図形からなる広告データが記録される記憶装置と、前記広告データを前記主コンピュータに送信する通信プログラムと、前記広告データを前記電子看板に表示する表示プログラムと、前記命令プログラムと応答可能な従属プログラムと、電子カメラを制御する制御プログラムとを備え、
前記主コンピュータは前記地域データベースから前記屋外用大型看板装置に関するデータを前記表示部に複数表示し、その中から特定の従コンピュータを選定し、インターネットを介して当該選定した従コンピュータに接続して、前記命令プログラムを送信し、特定の従コンピュータでは前記命令プログラムを受信して前記従属プログラムが応答し、前記ＣＰＵは前記主コンピュータからの指令に従う状態となり、前記主コンピュータの入力部の操作により特定の従コンピュータに起動又は終了を指令し、起動後には前記記憶装置からインターネットを介して前記広告データを読み出し主コンピュータの前記表示部に表示し、更に前記特定の従コンピュータの表示部とその前記電子看板とに表示して、特定の屋外用大型看板装置の表示状態を、前記主コンピュータの表示部で観察することを特徴とする電子看板の制御装置。
【請求項２】
前記主コンピュータの入力部の操作により特定の従コンピュータの記憶装置から前記広告データを読み出し表示部７に表示して、前記修正プログラムにより編集及び更新し、編集及び更新した広告データを前記特定の従コンピュータに送り、前記記憶装置に格納し、編集及び更新した広告データを前記主コンピュータの表示部および前記特定の従コンピュータの表示部と前記電子看板とに表示することを特徴とする請求項１に記載の電子看板の制御装置。
【請求項３】
前記主コンピュータがインターネットの所定のサイトから地図情報を取得して表示部に地図画像として表示し、前記所在プログラムが前記地域データベースから前記各屋外用大型看板装置の住所データを読み出し、前記リンクプログラムがこれら住所データを前記地図画像上の各位置を示す画像データのマークに変換し、このマークを前記地図画像に重ね表示し、前記各屋外用大型看板装置の配置場所を前記地図画像上で観察可能としたことを特徴とする請求項１に記載の電子看板の制御装置。
【請求項４】
前記各屋外用大型看板装置と対面するの位置に当該屋外用大型看板装置の全体像及びその近傍を撮影可能なデータ通信プログラムを備えた電子カメラをそれぞれ設置し、前記主コンピュータの入力部の操作により特定の従コンピュータを選定インターネットを介して接続し、この従コンピュータは前記電子カメラが撮影した当該屋外用大型看板装置の全体像及びその近傍の映像からなるライブデータを前記データ通信プログラムにより受信し、この従コンピュータが当該ライブデータの映像をインターネットを介して、離れた住所にある前記主コンピュータに送信し、当該屋外用大型看板装置の表示状態をその表示部に表示して観察可能としたことを特徴とする請求項１に記載の電子看板の制御装置。
【発明の詳細な説明】
【技術分野】
【０００１】  この発明は、電子看板の制御装置に関し、特にインターネットを利用して広告用の屋外用大型看板装置を離れた屋内事務所から遠隔に制御するシステムに関する。
【背景技術】
【０００２】  今日消費者は多くの屋外用大型看板装置を街のビル屋上、壁面等に見ることができる。これら屋外用大型看板装置は、運営・経営上は広告専用であり、ＴＶ、新聞、雑誌、ラジオ等のメディア広告と共存し、歩行通行中、電車移動中や電車・信号待ちの通行人に対して各種の宣伝広告を訴えている。
またこれら屋外用大型看板装置は、構成上は電子看板であり、離れた屋内事務所に設置した制御コンピュータ（ＰＣ）でその表示内容が設定・変更・修正され、運営者にとっては随時目的に合わせた表示が可能で、重宝な宣伝媒体となっている。【０００３】  更にこのような状況下で、明るく３色の発光ダイオード素子の開発により比較的廉価で大型の屋外用大型看板装置が出現し、特に夜間には生活に密着したニュース、毎日必要なお知らせ、デパートやスーパーの即売案内を表示するなど実用的で興味ある参加型のコンテンツが企業広告とともに表示されるようになっている。【０００４】  特許文献１の発明では、電子看板の各発光素子を回路制御方式により発光の位置を順序に制御して文字や絵を表示していた。
【特許文献１】  特開２００２−５５６３６号公報
【発明の開示】
【発明が解決しようとする課題】
【０００５】  従来の電子式の屋外用大型看板装置による広告等表示では、単一企業が単一の屋内事務所の制御コンピュータ（ＰＣ）から離れた位置に架設した単一の電子看板を１対１の装置で制御している。
そのため単一企業や広告専門企業が、その単一の屋内事務所の制御コンピュータ（ＰＣ）から街の各地域に設置した複数の電子看板を制御する場合には、これらの制御に対応するには、複数の電子看板に対応して更に複数の事務所を設け、そこにいちいち制御コンピュータ（ＰＣ）を設置しなければ各装置の表示を制御ができなかった。【０００６】  即ちある企業が、全国の都市の街々に、或いは世界各国の主要都市に自社宣伝用の電子看板をそれぞれ設置した場合にも、これらの表示制御には、個別に制御コンピュータ（ＰＣ）を設置しなければ各装置の表示を制御ができなかった。
本発明では、単一の屋内事務所の制御コンピュータ（ＰＣ）１台により、街中の各地域に、更に全国の都市の街々に、なお更に世界各国の主要都市に、それぞれ設置した複数の電子看板を制御できる方法と装置を提供することを目的とする。
【課題を解決するための手段】
【０００７】  この発明は、上記問題を解決するためになされたもので、各地に分散設置した従コンピュータとこれに接続された電子看板とからなる複数の屋外用大型看板装置と、これらとインターネット介して通信可能な主コンピュータとから構成される電子看板の制御装置において、前記主コンピュータには入力部６と表示部７と時計８とＣＰＵ９と地域毎にある前記従屋外用大型看板装置に関する地域データベース１１と、前記従コンピュータを制御する命令プログラム１２と文字や映像や図形データを編集及び更新可能な修正プログラム１８とリンクプログラム２６と所在プログラム５０とメモリ３１を備えるとともに、前記従コンピュータにはＣＰＵ１３と、記憶装置２０と表示部２７と時計２８とワークメモリ４１と、文字や映像や図形からなる広告データ２１が記録される記憶装置２０と、前記広告データ２１を前記主コンピュータに送信する通信プログラム１５と、前記広告データ２１を前記電子看板に表示する表示プログラム１６と、前記命令プログラム１２と応答可能な従属プログラム１７と、電子カメラを制御する制御プログラム１９とを備え、前記主コンピュータは前記地域データベース１１から前記屋外用大型看板装置に関するデータを前記表示部７に複数表示し、その中から特定の従コンピュータを選定し、インターネットを介して当該選定した従コンピュータに接続して、前記命令プログラム１２を送信し、特定の従コンピュータでは前記命令プログラム１２を受信して前記従属プログラム１７が応答し、前記ＣＰＵ１３は前記主コンピュータからの指令に従う状態となり、前記主コンピュータの入力部６の操作により特定の従コンピュータに起動又は終了を指令し、起動後には記憶装置２０からインターネットを介して前記広告データ２１を読み出し主コンピュータの前記表示部７表示し、更に前記特定の従コンピュータの表示部２７とその前記電子看板とに表示して、特定の屋外用大型看板装置の表示状態を、前記主コンピュータの表示部７で観察する。
【発明の効果】
【０００８】  単一企業が単一の屋内事務所の制御コンピュータ（ＰＣ）から離れた位置に架設した多数の屋外用大型看板装置を１対多数の形態で制御できる。
即ちある企業が、全国の都市の街々に、或いは世界各国の主要都市に自社宣伝用の電子看板をそれぞれ設置した場合にも、単一の屋内事務所の制御コンピュータ（ＰＣ）１台により、随時に必要に応じて、複数の電子看板を個別に観測し、表示内容を変更し、表示時間帯を制御できる。
【発明を実施するための最良の形態】
【０００９】  本発明の全体像について図８を参照して説明する。世界各地に分散するビル２３や建造物２４には電子看板の屋外用大型看板装置１Ａ、１Ｂ、・・・１Ｎが取り付けられている。また屋外用大型看板装置１Ａの表示画面と対面する位置に電子カメラ３０Ａ、３０Ｂ、・・・３０Ｎが設置されている。
屋外用大型看板装置１Ａ、１Ｂ、・・・１Ｎは、これらと離れた住所にある運営・管理企業の事務所２に設けた計算機等からなる制御コンピュータ（ＰＣ）４によりインターネット３を介して制御される。制御コンピュータ（ＰＣ）４は主コンピュータであり、インターネット通信機能を有するノート型やディスクトップ型である。【００１０】  図７において、これら屋外用大型看板装置１Ａ、１Ｂ、・・・１Ｎは、詳しくは各電子看板に個々のコンピュータ（ＰＣ）５Ａ、５Ｂ、・・・５Ｎがそれぞれ独立に接続されたもので、（以下では簡単のため電子看板も屋外用大型看板装置と称する）更にコンピュータ（ＰＣ）５Ａ、５Ｂ、・・・５Ｎには個別の電子カメラ３０Ａ、３０Ｂ、・・・３０Ｎがそれぞれ接続されている。
個別のコンピュータ（ＰＣ）５Ａと個別の屋外用大型看板装置１Ａ及び個別の電子カメラ３０Ａが、組になって互いにほぼ同一住所に接近して設けられている。他の組についてもほぼ同様に接近して配置される。【００１１】  ホストのコンピュータ（ＰＣ）４は、世界各地に分散する屋外用大型看板装置１Ａ、１Ｂ、・・・１Ｎの従コンピュータ（ＰＣ）５Ａ、５Ｂ、・・・１Ｎとインターネット３により独立に通信可能である。
コンピュータ（ＰＣ）４と複数のコンピュータ（ＰＣ）５Ａ、５Ｂ、・・・１Ｎの型式は、ＤＯＳＶ機でもＭＡＣ機いずれでもよく、また製造元がＩＢＭ、東芝、三菱、韓国のサムソン、台湾のエイサーなどいずれの企業でもよい。これらコンピュータ（ＰＣ）４、５はインターネット上の国際基準の通信用ＴＣＰ／ＩＰ、コンテキスト公開・閲覧用のＷＷＷ、ＨＴＭＬ、プラウザを満たすプログラムが設定されたものであればいい。【００１２】  図６において、例として屋外用大型看板装置１Ａ等がビル２３屋上の架台に取り付けられた構成であれば、対応する従コンピュータ（ＰＣ）５Ａ等をその架台の下に雨風を避ける箱１５の中に設け、箱に開閉用のドアを付ける。または屋外用大型看板装置１Ａ等がビル屋上の壁面に取り付けられた構成であればコンピュータ（ＰＣ）５Ａ等はビル屋内で近い階に設置する。屋外用大型看板装置１Ａ等とコンピュータ（ＰＣ）５Ａ等とはケーブル２５で接続されている。他の屋外用大型看板装置１Ｂ、・・・１Ｎについても以下同様である。【００１３】  図８のホストのコンピュータ（ＰＣ）４の事務所２の所在地を、例えば東京都港区とし、またコンピュータ（ＰＣ）５Ａと屋外用大型看板装置１Ａの所在地を東京都千代田区、コンピュータ（ＰＣ）５Ｂと屋外用大型看板装置１Ｂの所在地を宮城県仙台市、屋外用大型看板装置１Ｎとコンピュータ（ＰＣ）、５Ｎの所在地を名古屋市、以下同様に国内、海外の各地に設置する。
ここで屋外用大型看板装置１Ａ等は例えば１０ｍｘ１２ｍの大きさであり、画素が３色の発光ダイオードからなる電子看板で、天然色のカラー映像・文字・記号・図面を表示する。
各屋外用大型看板装置１Ａ、１Ｂ、・・・１Ｎは各静止画像看板また動画・ＣＧ映像をそれぞれ表示するもので、それぞれ対応するコンピュータ（ＰＣ）５Ａ、５Ｂ、・・・１Ｎにより独立に表示状態が制御される。【００１４】  各屋外用大型看板装置を運営・管理する企業は一般企業またはその子会社、支店、営業所等の事務所２を運営し、例えば、車の日本国愛知県のトヨタ、ヘリコプターの米国カリフォルニアのヒューズ、分析器の英国ケンブリッヂ市のメタルリサーチ、ワインのフランスのリョン市の赤ワイン社等である。
運営・管理する企業は世界各都市のメインスリートやビル、ハイウエイに屋外用大型看板装置１Ａ、１Ｂ、・・・１Ｎを自社の宣伝のためにそれぞれ設置し、これらの表示状態を制御するために、組となる各コンピュータ（ＰＣ）５Ａ、５Ｂ、・・・５Ｎを付加的にそれぞれに配置する。各コンピュータ（ＰＣ）５Ａ、５Ｂ、・・・５Ｎは屋外用大型看板装置１Ａ、１Ｂ、・・・１Ｎに有線で又は無線ＬＡＮで接続される。
各従コンピュータ（ＰＣ）５Ａ、５Ｂ、・・・５Ｎは、中心となる１台の主コンピュータ（ＰＣ）４により制御され、そこにはホストコードＫ０が設定され、アドレスが例えばＫ０＠ｋｏｋｏｋｕ．ｃｏｍである。
同様に、各コンピュータ（ＰＣ）５Ａ、５Ｂ、・・・５Ｎのアドレスが、それぞれ例えばＫＡ＠ｋｏｋｏｋｕ．ｃｏｍ、ＫＢ＠ｋｏｋｏｋｕ．ｃｏｍ、ＫＮ＠ｋｏｋｏｋｕ．ｃｏｍである。【００１５】  図５において主コンピュータ（ＰＣ）４は、キーやマウスの入力部６と液晶またはＣＲＴの表示部７と時計８とＣＰＵ９とインターネット用の通信プログラム１０と地域毎にある各コンピュータ（ＰＣ）５Ａ、５Ｂ、・・・１Ｎに関する地域データベース１１と、これらを制御する命令プログラム１２と修正プログラム１８とリンクプログラム２６と所在プログラム５０と半導体からなるメモリ３１を備えている。ホストコードＫ０とアドレスのＫ０＠ｋｏｋｏｋｕ．ｃｏｍが識別メモリ３３に登録されている。
命令プログラム１２は、市販のソフトＣｏｏｋｉｅやＪＡＶＡ、スクリプトや筑波大発ＳｏｆｔＥｔｈｅｒ等であり、ホスト側のコンピュータ（ＰＣ）４からインターネット介して指定アドレスの各従コンピュータ（ＰＣ）５Ａ、５Ｂ、・・・１Ｎを駆動可能とする。
修正プログラム１８は各従コンピュータ（ＰＣ）５Ａ、５Ｂ、・・・１Ｎの記憶装置２０から受け取った広告データ２１を編集・修正するものである。
所在プログラム５０は地域データベース１１から各屋外用大型看板装置１Ａ、１Ｂ、・・・１Ｎの住所データを読み出すもので、リンクプログラム２６はこれら住所データを地図画像上の各位置を示す画像データのマークＸに変換するものである。【００１６】  次に各コンピュータ（ＰＣ）５Ａ、５Ｂ、・・・５Ｎと各屋外用大型看板装置１Ａ、１Ｂ、・・・１Ｎの構成について図４で説明する。これらは互いにほぼ同一構成であるので、代表としてコンピュータ（ＰＣ）５Ａと対になる屋外用大型看板装置１Ａとについて説明する。
コンピュータ（ＰＣ）５Ａには、固有のコードＫＡが設定され、アドレスが例えばＫＡ＠ｋｏｋｏｋｕ．ｃｏｍであり、コードＫＡとアドレスのＫＡ＠ｋｏｋｏｋｕ．ｃｏｍが識別メモリ３４に登録されている。
コンピュータ（ＰＣ）５Ａは、ＣＰＵ１３とプログラム群とハードディスク等の記憶装置２０とキーとマウスの入力部２６と液晶またはＣＲＴの表示部２７と時計２８と半導体からなるワークメモリ４１を備えている。
プログラム群は通信プログラム１５と表示プログラム１６と従属プログラム１７とカメラ制御プログラム１９からなり、記憶装置２０は磁気記憶又はＩＣメモリから構成され、そこには広告データ２１とライブデータ２２とが記録されている。
通信プログラム１５はインターネット上の国際共通基準の通信用ＴＣＰ／ＩＰ、コンテキスト公開・閲覧用のＷＷＷ、ＨＴＭＬ、プラウザを満たすものであればいい。【００１７】  表示プログラム１６は記憶装置２０から広告データ２１を読み出して屋外用大型看板装置１Ａに表示するもので、従属プログラム１７はホスト側の主コンピュータ（ＰＣ）４が従コンピュータ（ＰＣ）５Ａを駆動開始する際に呼応するものである。逆方向にもコンピュータ（ＰＣ）５Ａからコンピュータ（ＰＣ）４を駆動できるが、この発明では逆駆動の動作は実行しないものとする。
カメラ制御プログラム１９は外部の電子カメラ３０Ａから受信した映像データを表示・記憶・送信制御するものである。
コンピュータ（ＰＣ）５Ａと電子カメラ３０とはケーブルで接続するか、無線ＬＡＮ方式で接続するか、無線電話方式で接続できるが、簡単のため無線電話方式で接続した場合を説明する。
広告データ２１は、例えば車の日本国愛知県のトヨタが各地、各国、各地方で自社の宣伝・広告に表示したい動画・文字・記号・図形からなるデジタルデータであり、海岸、高原、都市、架空宇宙などの映像である。【００１８】  ライブデータ２２は外部の電子カメラ３０から受信した映像データを記録したもので、記憶装置２０内では、その記録形態はＦＩＦＯ形式で、トコロテン形式に先書き込み、先読出し方式となっている。最新のデータＬＩＶＥデータｔｎ、ＬＩＶＥデータｔｊ・・・古い（先の）データＬＩＶＥデータｔｇとなって記録される。
図３において、屋外用大型看板装置１Ａはビル２３屋上や壁面や専用の建造物に設置され、電子カメラ３０Ａは屋外用大型看板装置１Ａの表示画面と対面するようにしてその表示状態を撮影できる位置にあるビルや建造物に配置されている。電子カメラ３０Ａは、図中右側のビルの屋上や壁面に設けられ、無線電話・電子メール機能を備えている。
コンピュータ（ＰＣ）５Ａと屋外用大型看板装置１Ａと電子カメラ３０との関係を図３、４、５で説明する。コンピュータ（ＰＣ）５ＡのＣＰＵ１３は記憶装置２０の広告データ２１を読み出して表示部２７に表示するとともに、表示プログラム１６により、同じ内容を屋外用大型看板装置１Ａに表示させる。【００１９】  ＣＰＵ１３はカメラ制御プログラム１９により時計２８を参照して、所定時間間隔で電子カメラ３０Ａに電話を掛ける。応答した電子カメラ３０Ａは広告映像を表示している屋外用大型看板装置１Ａの外観を背景となるビルの一部とともに撮影して電話モードでコンピュータ（ＰＣ）５Ａに送信する。
これらが有線やＬＡＮ結合であれば、常時撮影して映像データをコンピュータ（ＰＣ）５Ａに送信してもよい。
外部の電子カメラ３０Ａから受信した映像データを記録したライブデータ２２は、記憶装置２０にＦＩＦＯ形式で、トコロテン形式に先のデータから書き込まれ、所定のデータ量になると古いデータから先に読出されて廃棄される。
即ち屋外用大型看板装置１Ａの表示状態が常時又は所定時間間隔で記憶装置２０に所定データ量単位で更新して記録される。一方半導体メモリのワークメモリ４１にライブデータ２２をＦＩＦＯ形式で、トコロテン形式に書き込み古いデータから読出すとライブデータ２２の外部への転送速度が速くなる。【００２０】  主コンピュータ（ＰＣ）４では、所在プログラム５０は地域データベース１１から各屋外用大型看板装置の住所データを読み出し、これらの配置場所の一覧を図１に示すように表示部７に表示する。
次に、入力部６の操作によりＣＰＵ９はインターネットのＥｘｐｌｏｒｅなどにより、ＭＡＰＩＯＮ、ＧＯＯＧＬＥ  ＭＡＰ、ＧＯＯＧＬＥ  ＥＡＲＴＨのインターネットサイトから地図を取り込む。次にリンクプログラム２６がこれら住所データを地図画像上の各位置を示す画像データのマークＸに変換し、図２に示すようにこのマークを地図画像に重ねて表示部７に表示する。
即ち、住所を位置情報のマークＸにして、地図画像と合成して重ねて（スーパーインポーズ）して、図２のように屋外用大型看板装置１Ａの設置位置を赤丸や青Ｘで色彩を付けて地図とともに表示部７に表示する。【００２１】  主コンピュータ（ＰＣ）４では、同様に所在プログラム５０は、地域データベース１１から別のコンピュータ（ＰＣ）５Ｂ（屋外用大型看板装置１Ｂの位置でもある）に関する住所を読出し、ＭＡＰＩＯ等のインターネットサイトから地図を取り込み、これらを合成して、住所を位置情報のマークＸにして、地図表示に重ねて（スーパーインポーズ）して、図２のように屋外用大型看板装置１Ｂの設置位置を赤丸や青Ｘで色彩を付けて表示部７に表示する。
更に同様に他の住所を位置情報のマークＸにして、地図上に重ねて（スーパーインポーズ）表示する。
屋外用大型看板装置１Ａの設置位置を示す表示される地図は倍率を拡大・縮小して表示でき、縮小して表示して広い範囲にすると例えば、図２のイの東京位置情報のマークＸがスーパーインポーズされた地図範囲が次第に拡大し、図２のロの仙台位置情報の（屋外用大型看板装置１Ｂ）マークＸがスーパーインポーズされた地図とが同一画面に表示できる。【００２２】  更に縮小して表示するとなお広い範囲になり例えば、本州全体が表示され、各地域の位置情報のマークＸがスーパーインポーズされた本州地図が同一画面に表示できる。同様にしてアジア地域、ヨーロッパ・アジア地域、全世界と表示できる。しかし複数のマークＸが接近して込み合ってくるが、屋外用大型看板装置１Ｎの全体分布が把握できる。
主コンピュータ（ＰＣ）４では、インターネット用の通信プログラム１０は、自動的に地図上の位置情報のマークＸ（屋外用大型看板装置１Ａに該当）とコンピュータ（ＰＣ）５Ａに設定された図１のアドレスＫＡ＠ｋｏｋｏｋｕ．ｃｏｍとを結合するものである。同様に他の位置情報のマークＸを他のアドレスに結合できる。【００２３】  または、主コンピュータ（ＰＣ）４では、制御・観察希望の各屋外用大型看板装置を選定するために、キーとマウスの入力部６を操作して、遠隔地にある例えば従コンピュータ（ＰＣ）５Ａに対してアドレスのＫＡ＠ｋｏｋｏｋｕ．ｃｏｍを直接入力しインターネットを介して接続する。
別のコンピュータ（ＰＣ）５Ｂ（屋外用大型看板装置１Ｂの位置でもある）が仙台市であれば、または更にアドレスのＫＢ＠ｋｏｋｏｋｕ．ｃｏｍに指定しインターネットを介して接続できる。【００２４】  或いはコンピュータ（ＰＣ）４では、キーとマウスの入力部６を操作して、遠隔地の名古屋市にある例えばコンピュータ（ＰＣ）５ＣのアドレスＫＣ＠ｋｏｋｏｋｕ．ｃｏｍを指定しインターネットを介して接続できる。
ＣＰＵ９は命令プログラム１２をインターネットを介して、例えば従コンピュータ（ＰＣ）５Ｃに送り、従コンピュータ（ＰＣ）５Ｃでは従属プログラム１７が呼応して動作し、主コンピュータ（ＰＣ）４からの指令にＣＰＵ１３が従う状態設定される。
そこで、主コンピュータ（ＰＣ）４は、従コンピュータ（ＰＣ）５Ｃに対して現在屋外用大型看板装置１Ｃに表示中の画面をコンピュータ（ＰＣ）４に同時に平行して送るように要求する。表示中の画面は従コンピュータ（ＰＣ）５Ｃの表示部２７にも表示されているが、主コンピュータ（ＰＣ）４の表示部７にも同時に表示されるようになる。【００２５】  運営・管理企業の事務所２では担当者が、制御用主コンピュータ（ＰＣ）４の表示部７にて離れた住所にある屋外用大型看板装置５Ｃの表示内容を確認できる。
次に、主コンピュータ（ＰＣ）４は従コンピュータ（ＰＣ）５Ｃの記憶装置１９に読出し命令を送り、外部の電子カメラ３０Ｃが撮影した映像データを主コンピュータ（ＰＣ）４に送るように指示する。
外部の電子カメラ３０Ｃからは映像データのライブデータ２２は、記憶装置２０にＦＩＦＯ形式で、トコロテン形式に先のデータから書き込まれていて、古いデータＬＩＶＥデータｔｇから先に読出されてインターネットを介してコンピュータ（ＰＣ）４に送られて来る。古いデータといっても数分的遅れであり、観測する人間にとっては殆ど同時である。いわゆる図３、図６、７、８のようにビル２３の向かいから眺めた屋外用大型看板装置１Ｃ等の実際の表示状態の画像が、離れた住所にある制御用主コンピュータ（ＰＣ）４の表示部７で観察できる。【００２６】  電子カメラ３０Ｃが無線電話方式である場合には、主コンピュータ（ＰＣ）４から、従コンピュータ（ＰＣ）５Ｃを介さずに、電子カメラ３０Ｃに直接電話をかけて映像データを受信することもできる。
これにより、１台の主コンピュータ（ＰＣ）４側で、出向かずに従コンピュータ（ＰＣ）５Ｃと屋外用大型看板装置１Ｃとの接続上に異常がないか、屋外用大型看板装置５Ｃの表示内容と従コンピュータ（ＰＣ）５Ｃの表示部２７上の表示内容とに相異がないか確認できる。相異があると故障として従コンピュータ（ＰＣ）５Ｃ及び屋外用大型看板装置１Ｃの名古屋市の担当者に通知し、修理を指示できる。【００２７】  次に、運営・管理企業の事務所２が、離れた住所にある名古屋市の屋外用大型看板装置５Ｃの表示内容を変更したい場合を説明する。
従コンピュータ（ＰＣ）５Ｃに対してその広告データ２１を読み出して、主コンピュータ（ＰＣ）４に送るように指示する。
従コンピュータ（ＰＣ）５ＣのＣＰＵ１３は記憶装置２０から例えばトヨタの広告データ２１を読み出してインターネットを介して東京港区の主コンピュータ（ＰＣ）４に送信する。
受信した主コンピュータ（ＰＣ）４ではトヨタの広告データ２１を半導体のメモリ３１に一次記録し、同時にＣＰＵ９はこの広告データ２１を読み出して表示部７に表示する。
コンピュータ（ＰＣ）４では、この広告データ２１に対して、修正プログラム１８により企業の新しい方針に合わせて修正・変更・編集を行い、又は全面変更を行い、変更した広告データ２１を作成する。【００２８】  その後主コンピュータ（ＰＣ）４は、まず従コンピュータ（ＰＣ）５Ｃの従属プログラム１７を読出して、指令駆動可能にし、変更した広告データ２１を従コンピュータ（ＰＣ）５Ｃに送り、広告内容の変更を指示する。
従コンピュータ（ＰＣ）５ＣのＣＰＵ１３は記憶装置２０内の元の広告データ２１を変更した広告データ２１に更新する。
従って名古屋市に出向くことなく、東京の事務所からキーとマウスの入力部６を操作して記憶装置２０の内容をこのデータと置換し、所定時間後または即時に、屋外用大型看板装置１Ｃの表示内容を変更できる。【００２９】  変更後の表示内容は前述同様に、電子カメラ３０Ｃは広告映像を表示している屋外用大型看板装置１Ｃを撮影しているので、確かに変更されているかどうかを東京の主コンピュータ（ＰＣ）４の画面で確認できる。
同様にして他の屋外用大型看板装置１Ｂ、屋外用大型看板装置１Ｎの観察・修正・異常も主コンピュータ（ＰＣ）４の画面で確認・編集・発見できる。
ある企業の宣伝主任は、車広告用の屋外用大型看板装置１Ａ、１Ｂ、１Ｃ・・・が何台、日本及び世界の何処に設置されているか、地図上で視覚的に一目して認識できる。また各地の屋外用大型看板装置１Ａ、１Ｂ、１Ｃ・・・がどのようなコンテンツを表示しているかを、１箇所の制御センターから必要に応じて随時観察できる。
【図面の簡単な説明】
【００３０】
【図１】  この発明の電子看板の制御装置の各地の屋外用大型看板装置のアドレスを示す図である。
【図２】  この発明の各地の屋外用大型看板装置の位置を示す拡大・縮小地図を示す図である。
【図３】  この発明が大通り交差点に面したビル屋上に実施された場合の外観を示す図である。
【図４】  この発明の従コンピュータ（ＰＣ）側の構成を示すブロック図である。
【図５】  この発明の主コンピュータ（ＰＣ）側の構成を示すブロック図である。
【図６】  この発明の一組の屋外用大型看板装置の外観を示す図である。
【図７】  この発明の屋外用大型看板装置の全体的されるネットワーク全体の構成を示す図である。
【図８】  この発明の屋外用大型看板装置の全体的外観を簡単に示す図である。
【符号の説明】
【００３１】１、１Ａ、１Ｂ、１Ｃ、・・・１Ｎ  屋外用大型看板装置
２  事務所
３  インターネット
４、５Ａ、５Ｂ、・・・５Ｎ  従コンピュータ（ＰＣ）
６  入力部
７、２７  表示部
８、２８  時計
９、１３  ＣＰＵ
１０、１５  通信プログラム
１１  データベース
１２  命令プログラム
１５  箱
１６  表示プログラム
１７  従属プログラム
１８  修正プログラム
１９  カメラ制御プログラム
２０  記憶装置
２１  広告データ
２２  ライブデータ
２３  ビル
２４  建造物
２５  ケーブル
２６  リンクプログラム
３０Ａ、３０Ｂ、３０Ｃ、・・・３０Ｎ  電子カメラ
３１  メモリ
３３  識別メモリ
４１  ワークメモリ
５０  所在プログラム
Ｋ０  ホストコード
ＫＡ、ＫＢ、・・・  ＫＮ  従コード
Ｘ  マーク
【図１】
2007219459.tif 000003
【図２】
2007219459.tif 000004
【図３】
2007219459.tif 000005
【図４】
2007219459.tif 000006
【図５】
2007219459.tif 000007
【図６】
2007219459.tif 000008
【図７】
2007219459.tif 000009
【図８】
2007219459.tif 000010